(57)【要約】【課題】携帯電話機のディスプレイが発光することが迷惑となる場所において、ユーザによる簡便な操作により、ディスプレイの一部分のみを部分的に発光させることができる携帯電話機を提供する。【解決手段】携帯電話機１の領域特定部１２１は、ユーザがタッチパネル１０３に接触した位置に基づき境界を決定し、さらに、加速度センサ１０１による検出値に基づき、境界を境に、ＬＣＤ１１１内の傾き下方の領域を、部分発光させる指定領域に特定する。そして、バックライトユニット１１２は、指定領域に対応する照明装置のみを点灯し、指定領域以外の領域に対応する照明装置を消灯することにより、ＬＣＤ１１１の一部分のみを発光させる。【選択図】図１
2010130159.tif 000002
【特許請求の範囲】
【請求項１】
ディスプレイと、
前記ディスプレイの傾きを検出する傾き検出手段と、
前記傾き検出手段の検出結果に基づき、所定の方法により決定される境界を境に、前記ディスプレイ内の傾き下方の領域である第１領域を特定する領域特定手段と、
特定された前記第１領域の明るさを、前記第１領域以外の領域である第２領域の明るさより明るくする制御手段と
を備えることを特徴とする携帯電話機。
【請求項２】
前記携帯電話機は、
前記ディスプレイ上に位置するタッチパネルを備え、
前記領域特定手段は、前記タッチパネルが接触された複数の位置に基づいて、前記境界を決定する
ことを特徴とする請求項１に記載の携帯電話機。
【請求項３】
前記携帯電話機は、
前記ディスプレイ上に位置するタッチパネルを備え、
前記領域特定手段は、前記タッチパネルが接触された点の軌跡に基づいて、前記境界を決定する
ことを特徴とする請求項１に記載の携帯電話機。
【請求項４】
前記制御手段は、前記第１領域が特定された後に所定時間が経過したときは、前記第１領域の明るさを前記第２領域の明るさより明るくする
ことを特徴とする請求項３に記載の携帯電話機。
【請求項５】
前記携帯電話機は、
複数のキーを有するキーボードを備え、
前記領域特定手段は、各キーと前記ディスプレイ内の位置とを対応付けたテーブルを保持しており、何れかのキーが押下されると、押下されたキーに対応する位置を前記テーブルから取得し、取得された位置に基づき、前記境界を決定する
ことを特徴とする請求項１に記載の携帯電話機。
【請求項６】
前記制御手段は、前記ディスプレイの複数個の光源それぞれの明るさを制御することにより、前記第１領域の明るさを、前記第２領域の明るさより明るくする
ことを特徴とする請求項１に記載の携帯電話機。
【請求項７】
前記制御手段は、前記第２領域の明るさをゼロにすると共に、前記第１領域にのみ、ユーザに提示する画面を出力する
ことを特徴とする請求項６に記載の携帯電話機。
【請求項８】
前記傾き検出手段は、前記ディスプレイの幅方向及び高さ方向それぞれの傾き角度を検出し、
前記領域特定手段は、幅方向及び高さ方向のうち、水平に対する傾きの大きい方向を選択し、選択された方向において、傾き下方の領域である前記第１領域を特定する
ことを特徴とする請求項１に記載の携帯電話機。
【発明の詳細な説明】
【技術分野】
【０００１】
本発明は、携帯電話機に関し、特に、ディスプレイの表示を制御する技術に関する。
【背景技術】
【０００２】
携帯電話機のディスプレイを発光させるバックライトは、一定時間ユーザの操作が無ければ、消灯することにより省電力化を図っている。バックライトが消灯している状態で、携帯電話機がユーザの操作を受け付けると、再びバックライトが点灯する。
また、特許文献１には、コンピュータのディスプレイを部分的に発光させることにより、省電力化を図る技術が開示されている。この技術では、ユーザが入力した文字数に応じてディスプレイの一部を発光させたり、ユーザがタッチパネルを押圧した位置のみを発光させたりする。
【特許文献１】特開平１１−１８４４４２号公報
【発明の開示】
【発明が解決しようとする課題】
【０００３】
ところで、映画館などの暗い場所で、ユーザが携帯電話機のディスプレイの表示内容を確認する必要が生じた場合に、ディスプレイが突然発光すると周囲に迷惑が掛かる。そこで、このような場所では、ディスプレイの一部分のみを発光させたいという要望がある。
しかし、特許文献１に記載されている技術を携帯電話機に用いたとしても、暗い場所で、ユーザが、文字入力により発光位置を指定することは困難であるし、また、タッチパネルの押圧位置によっては、ディスプレイの光が周囲に洩れ、迷惑となる可能性もある。したがって、上記の技術を用いても、周囲に迷惑が掛からないような発光位置をユーザが指定することは困難である。
【０００４】
本発明は、上記の問題点に鑑みなされたものであって、ユーザの簡便な操作により、周囲に迷惑がかからないように、ディスプレイの一部分のみを部分的に発光させることができる携帯電話機を提供することを目的とする。
【課題を解決するための手段】
【０００５】
上記の目的を達成するために、本発明の携帯電話機は、ディスプレイと、前記ディスプレイの傾きを検出する傾き検出手段と、前記傾き検出手段の検出結果に基づき、所定の方法により決定される境界を境に、前記ディスプレイ内の傾き下方の領域である第１領域を特定する領域特定手段と、特定された前記第１領域の明るさを、前記第１領域以外の領域である第２領域の明るさより明るくする制御手段とを備えることを特徴とする。
【発明の効果】
【０００６】
上記の構成を備えることにより、本発明の携帯電話機は、映画館などの暗い場所で、消灯しているディスプレイが点灯する場合であっても、傾き下方の領域を部分的に明るく発光するので、ユーザが携帯電話機の画面内容を確認するときに、周囲に迷惑が掛かることを防止することができる。
【発明を実施するための最良の形態】
【０００７】
ここでは、本発明に係る実施の形態を、図面を参照しながら詳細に説明する。
１．第１の実施形態
先ず、本発明の第１の実施形態に係る携帯電話機１について説明する。
＜構成＞
図１は、携帯電話機１の構成を示すブロック図である。同図に示すように、携帯電話機１は、加速度センサ１０１、表示部１０２、タッチパネル１０３、制御部１０４、記憶部１０５、通信部１０６、アンテナ１０７、音声制御部１０８、スピーカ１０９及びマイク１１０を備える。さらに、表示部１０２は、ＬＣＤ（Ｌｉｑｕｉｄ  Ｃｒｙｓｔａｌ  Ｄｉｓｐｌａｙ）１１１及びバックライトユニット１１２を備え、制御部１０４は、領域特定部１２１及び発光制御部１２２を備える。
【０００８】
本実施形態に係る携帯電話機１は、ＬＣＤ１１１を部分的に発光させる指定領域発光機能を備えている。また、携帯電話機１は、入力デバイスとしてのキーボードを備えておらず、ユーザは、タッチパネル１０３にタッチすることにより、携帯電話機１に対して、指示を入力する。
以下では、携帯電話機１の各構成要素について説明する。
【０００９】
（１）加速度センサ１０１
ここでは、図２を用いて、加速度センサ１０１の機能について説明する。加速度センサ１０１は、携帯電話機１にかかる重力の下記ｘｙ軸の各軸成分の大きさに比例した各電圧値を出力するＩＣ（Ｉｎｔｅｇｒａｔｅｄ  Ｃｉｒｃｕｉｔ）である。
図２（ａ）に示すように、携帯電話機１のスピーカ１０９側を上端２０１とし、マイク１１０側を下端２０２とした場合に、図の向きにｘ軸及びｙ軸を取る。加速度センサ１０１は、重力のｘ軸成分の大きさに比例した電圧値と、ｙ軸成分の大きさに比例した電圧値とを検出し、検出した電圧値を、制御部１０４の領域特定部１２１へ出力する。
【００１０】
携帯電話機１は、ディスプレイ面が水平の状態では、重力のｘ軸成分及びｙ軸成分は、共に０であるから、加速度センサ１０１から出力されるｘ軸成分及びｙ軸成分の電圧値は、共に０である。
図２（ｂ）に示すように、携帯電話機１を、ディスプレイ面が水平の状態からｘ軸を回転軸として、図の向き（上端２０１を上向き、下端２０２を下向き）に角度θだけ傾けると、重力のｙ軸成分が発生する。図２（ｃ）は、角度θに対応した電圧値の変化の概要を示す図である。
【００１１】
図２（ｃ）に示すように、角度θがプラスの場合（上端２０１を上向き、下端２０２を下向きに傾けた場合）、電圧値はマイナスの値となる。一方、角度θがマイナスの場合（下端２０２を上向き、上端２０１を下向きに傾けた場合）、電圧値はプラスの値となる。従って、制御部１０４は、加速度センサ１０１から出力されるｙ軸方向の電圧値を用いて、携帯電話機１のｙ軸方向の傾き方向（上端２０１及び下端２０２の何れが下方に向いているか）を知ることができる。
【００１２】
同様に、携帯電話機１を、水平の状態からｙ軸を回転軸として傾けた場合、図２（ａ）に示すように、携帯電話機１の左端２０３及び右端２０４を定義すると、制御部１０４は、加速度センサ１０１から出力されるｘ軸方向の電圧値を用いて、携帯電話機１のｘ軸方向の傾きの方向（左端２０３及び右端２０４の何れが下方に向いているか）を知ることができる。
【００１３】
なお、以下では、加速度センサ１０１から出力される電圧値を、「傾き情報」と呼称する。また、図２（ｂ）において、角度θがプラスの場合には下端２０２側を、角度θがマイナスの場合には上端２０１側を、「傾き下方」と呼称する。また、携帯電話機１がｘ軸方向に傾いている場合には、傾き角度がプラスの場合には、左端２０３側を、傾き角度がマイナスの場合には、右端２０４側を「傾き下方」と呼称する。
【００１４】
（２）表示部１０２
表示部１０２は、先に述べたように、ＬＣＤ１１１及びバックライトユニット１１２を備える。
ＬＣＤ１１１は、９０×１２０画素で、制御部１０４により生成された各種の画面情報を表示する。
【００１５】
バックライトユニット１１２は、ＬＣＤ１１１の背面に備えられた複数個の照明装置を含む。具体的には、バックライトユニット１１２は、図３に示すように、横６列及び縦８列のマトリックス状の４８個の照明装置を備えている。各照明装置は、発光強度を多段階に切り替えることが可能であり、発光制御部１２２から受け取る発光強度に従って点灯する。
【００１６】
各照明装置は、具体的には、ＣＣＦＬ（Ｃｏｌｄ  Ｃａｔｈｏｄｅ  Ｆｌｕｏｒｅｓｃｅｎｔ  Ｌａｍｐ）管、ＬＥＤ（Ｌｉｇｈｔ  Ｅｍｉｔｔｉｎｇ  Ｄｉｏｄｅ）などを用いて実現することができる。
なお、図３に示したｘ軸及びｙ軸上の数値は、各照明装置が点灯することにより発光するＬＣＤ１１１内の領域をドット（画素数）で表している。
【００１７】
例えば、照明装置１１３が点灯すれば、ＬＣＤ１１１内における、ｘ軸方向の０〜１５ドット、ｙ軸方向の０〜１５ドットの領域が発光する。また、ｘ軸方向の０〜９０ドット及びｙ軸方向の０〜６０ドットから成る領域に対応する２４個の照明装置を、所定の発光強度で点灯させ、それ以外の領域に対応する２４個の照明装置を消灯させることにより、ＬＣＤ１１１の半分の領域のみを発光させることができる。
【００１８】
（３）タッチパネル１０３
タッチパネル１０３は、ＬＣＤ１１１の上部全体を覆うように備えられた入力デバイスであって、ユーザのタッチ操作を受け付けると、タッチされた座標を示す接触位置情報を、制御部１０４へ出力する。
ここで、本実施形態では、指定領域発光機能により部分的に発光させるＬＣＤ１１１内の領域をユーザが指定するために、ユーザは、タッチパネル１０３の複数の位置を接触することを想定している。
【００１９】
例えば、図４（ａ）に示すように、ユーザは、携帯電話機１を左手で把持しながら、ＬＣＤ１１１に右手をかざすような形で、右手をタッチパネル１０３に接触させる。この場合、タッチパネル１０３は、同時接触された複数の座標を示す接触位置情報を、制御部１０４の領域特定部１２１へ出力する。
なお、タッチパネル１０３は、既存の技術で実現可能であるため、詳細な説明は省略する。
【００２０】
（４）制御部１０４
制御部１０４は、ＣＰＵ（Ｃｅｎｔｒａｌ  Ｐｒｏｃｅｓｓｉｎｇ  Ｕｎｉｔ）及びＲＡＭ（Ｒａｎｄｏｍ  Ａｃｃｅｓｓ  Ｍｅｍｏｒｙ）などから構成される。
制御部１０４は、記憶部１０５に記憶されているコンピュータプログラムを実行することにより、携帯電話機１の各構成要素を制御し、各種の処理を実現する。
【００２１】
制御部１０４は、各種の画面情報を生成し、生成した画面情報を、表示部１０２へ出力する。画面情報の具体例は、メニュー画面、着信画面、受信メール画面、各種のアプリケーション画面等である。
以下では、本発明における制御部１０４の特徴的な処理について説明する。
制御部１０４は、指定領域発光機能のオン及びオフの何れかを示すフラグを記憶している。例えば、フラグの値が「１」のとき、指定領域発光機能はオンであり、「０」のとき、指定領域発光機能はオフであるとする。先に述べたように、指定領域発光機能は、ＬＣＤ１１１を部分的に発光させる機能であり、ユーザ操作により、オン及びオフを切り替えることができる。
【００２２】
なお、指定領域発光機能がオンの状態で、携帯電話機１の電源がオフされている状態から、電源がオンに切り替わるときは、バックライトユニット１１２の各照明装置は、全て消灯することとする。これは、映画館などの暗い場所で、携帯電話機１の電源がオンに切り替わったときに、ユーザの意図に反して、ＬＣＤ１１１の全体が発光することを回避するためである。
【００２３】
領域特定部１２１及び発光制御部１２２は  指定領域発光機能がオンの場合に、以下の処理を行う。
領域特定部１２１は、タッチパネル１０３から取得する接触位置情報と、加速度センサ１０１から取得する傾き情報とから、部分的に発光させるＬＣＤ１１１内の領域である指定領域を特定する。
【００２４】
ここで、ユーザは、図４（ａ）に示したように、タッチパネル１０３に手を接触させるので、制御部１０４がタッチパネル１０３から取得する接触位置情報は、直線を示しておらず、ユーザの手の幅に相当する複数の座標を含む。そこで、領域特定部１２１は、先ず、接触位置情報を基に、接触ラインを決定する。例えば、図４（ａ）に示すように、ユーザが水平ライン（ｘ軸方向）に略平行に手を接触させた場合、領域特定部１２１は、複数のｘ座標について、各ｘ座標に対応する複数のｙ座標から、ｙ座標の平均値を算出することにより、接触ラインを決定する。ユーザが垂直ライン（ｙ軸方向）に略平行に手を接触させた場合にも、同様の方法により接触ラインを決定する。
【００２５】
その後、領域特定部１２１は、バックライトユニット１１２が備える複数の照明装置それぞれが発光させることができるＬＣＤ１１１内の領域を分割する複数のライン（図３に示すように、水平ラインは、ｙ＝１５、３０、４５、６０、７５ドットの５本、垂直ラインは、ｘ＝１５、３０、４５、６０、７５、９０、１０５ドットの７本）の内から、決定した接触ラインに最も近い水平ライン又は垂直ラインを選択し、選択した水平ライン又は垂直ラインを、指定領域とそれ以外の領域とを分割する境界として決定する。
【００２６】
決定した境界が水平ラインである場合、領域特定部１２１は、ｙ軸方向の傾き情報を用いて、境界を境に、傾き下方の領域を、指定領域として特定する。一方、決定した境界が垂直ラインである場合、領域特定部１２１は、ｘ軸方向の傾き情報を用いて、境界を境に、傾き下方の領域を、指定領域として特定する。
領域特定部１２１は、特定した指定領域を示す情報を、発光制御部１２２へ出力する。
【００２７】
発光制御部１２２は、領域特定部１２１から指定領域を示す情報を受け取ると、記憶部１０５から、発光強度情報１３１を読み出す。そして、発光制御部１２２は、指定領域に対応する照明装置に対して、発光強度情報１３１が示す値を出力し、指定領域以外の照明装置に対して、発光強度０を出力する。
先に述べたように、バックライトユニット１１２の各照明装置は、発光制御部１２２から受け付けた発光強度で点灯するので、図４（ｂ）に示すように、ユーザがＬＣＤ１１１に手をかざしている状態で、傾きが下方の領域のみを発光させることができる。
【００２８】
（５）記憶部１０５
記憶部１０５は、ＲＯＭ（Ｒｅａｄ  Ｏｎｌｙ  Ｍｅｍｏｒｙ）及びＲＡＭから構成される。記憶部１０５は、携帯電話機１の制御に必要なコンピュータプログラムや、ユーザが入力したデータ、アドレス帳、受信メール、送信メールなど、様々なデータを記憶している。
【００２９】
また、記憶部１０５は、図１に示すように発光強度情報１３１を記憶している。発光強度情報１３１は、指定領域に対応する照明装置を発光させるときの制御値である。一例として、記憶部１０５は、発光強度情報１３１として、輝度値「３００」を記憶している。
（６）通信部１０６及びアンテナ１０７
通信部１０６は、アンテナ１０７を介して受信した受信信号を、受話受信信号及び受信データ信号に復調し、復調した受信受話信号を、音声制御部１０８へ出力し、復調した受信データ信号を、制御部１０４へ出力する。
【００３０】
また、通信部１０６は、音声制御部１０８でＡ／Ｄ変換された送話音声信号及び制御部１０４から受け取った送信データ信号を復調し、アンテナ１０７から出力する。
（７）音声制御部１０８、スピーカ１０９及びマイク１１０
音声制御部１０８は、通信部１０６から受け取った受話受信信号をＤ／Ａ変換し、スピーカ１０９に出力する。
【００３１】
また、音声制御部１０８は、マイク１１０から受け取った送話音声信号を、Ａ／Ｄ変換し、生成した信号を、通信部１０６へ出力する。
＜動作＞
ここでは、図５に示すフローチャートを用いて、携帯電話機１の指定領域発光処理の動作について説明する。なお、図５に示す処理は、ＬＣＤ１１１の全体が発光していない状態から、ユーザがタッチパネル１０３に接触することにより開始される。
【００３２】
制御部１０４は、内部に保持するフラグの値から、指定領域発光機能がオンであるか、オフであるかを判断する。指定領域発光機能がオフの場合（ステップＳ１０１でＮＯ）、制御部１０４は、タッチパネル１０３の接触位置に対応する通常の処理を行う（ステップＳ１０２）。
指定領域発光機能がオンの場合（ステップＳ１０１でＹＥＳ）、領域特定部１２１は、タッチパネル１０３から接触位置情報を取得し（ステップＳ１０３）、取得した接触位置情報を基に、指定領域とそれ以外の領域との境界を決定する（ステップＳ１０４）。続いて、領域特定部１２１は、加速度センサ１０１から、境界に直交する向きの傾き情報を取得する（ステップＳ１０５）。
【００３３】
領域特定部１２１は、ステップＳ１０４で決定した境界を境に、傾き下方の領域を、指定領域として特定する（ステップＳ１０６）。その後、領域特定部１２１は、指定領域を示す情報を発光制御部１２２へ出力する。
発光制御部１２２は、領域特定部１２１から指定領域を示す情報を受け取ると、記憶部１０５から、発光強度情報１３１を取得する（ステップＳ１０７）。そして、発光制御部１２２は、バックライトユニット１１２の各照明装置に対して、発光強度を出力する。このとき、指定領域に対応する照明装置に対しては、発光強度情報１３１が示す値を出力し、指定領域以外の領域に対応する照明装置に対しては、０を出力する。
【００３４】
バックライトユニット１１２の各照明装置は、発光制御部１２２から発光強度を受け取ると、受け取った発光強度で点灯することにより、ＬＣＤ１１１内の指定領域のみを発光させる（ステップＳ１０８）。
タッチパネル１０３への接触が継続している場合（ステップＳ１０９でＹＥＳ）、バックライトユニット１１２は、ステップＳ１０８の処理を継続する。タッチパネル１０３への接触が終了すると（ステップＳ１０９でＮＯ）、携帯電話機１は、指定領域発光処理を終了する。
【００３５】
以上説明したように、本実施形態によれば、ユーザは、携帯電話機を傾けながらタッチパネル１０３に手を接触させるという簡便な操作により、部分的に発光させる領域を指定することができる。
ここで、ユーザがディスプレイを見ながら携帯電話機を把持している通常の使用状態を鑑みると、傾き下方の領域はユーザの手前側に位置しており、傾き下方の領域の発光は、上方の領域の発光に比べて、周囲への影響が少ないと考えられる。したがって、映画館などの暗い場所でも、ユーザは携帯電話機の画面内容を確認するときに、周囲に迷惑が掛かるのを防止することができる。
【００３６】
２．第２の実施形態
次に、本発明の第２の実施形態に係る携帯電話機について説明する。
＜構成＞
第２の実施形態に係る携帯電話機は、図１に示した携帯電話機１と同様の構成を備える。そこで、以下では、第２の実施形態に係る携帯電話機について、図１の符号を用いながら、第１の実施形態とは異なる部分を中心に説明する。
【００３７】
第１の実施形態では、図４に示すように、ユーザは、タッチパネル１０３の複数の位置を接触することを想定していたが、本実施形態では、ユーザは、図６（ａ）に示すように、タッチパネル１０３に指を接触させながら、指を移動させてラインを引き、発光させる領域を指定することを想定している。
タッチパネル１０３は、接触移動の軌跡を示す接触ライン情報を、制御部１０４の領域特定部１２１へ出力する。
【００３８】
接触ライン情報は、ユーザが指で接触した位置の複数の座標を含むので、領域特定部１２１は、第１の実施形態と同様に、接触ライン情報を基に、座標の平均値をとることにより、接触ラインを決定する。
その後、領域特定部１２１は、第１の実施形態と同様に、指定領域とそれ以外の領域とを分割する水平ライン又は垂直ラインの境界を決定し、決定した境界と、加速度センサ１０１から取得する傾き情報とから、指定領域を特定する。
【００３９】
発光制御部１２２は、第１の実施形態と同様に、領域特定部１２１から指定領域を示す情報を受け取ると、記憶部１０５から、発光強度情報１３１を読み出す。ここで、本実施形態の発光制御部１２２は、タイマー機能を有しており、発光強度情報１３１を読み出した後、予め記憶している所定時間Ｔｓ（例えば、所定時間Ｔｓは５秒程度である。）を経過した後に、バックライトユニット１１２の各照明装置に対して、発光強度を出力する。
【００４０】
バックライトユニット１１２の各照明装置は、発光制御部１２２から受け取った発光強度で点灯するので、図６（ｂ）に示すように、ユーザが指を接触移動させた位置を境界として、ＬＣＤ１１１内の、傾き下方の領域のみを発光させることができる。
このように、本実施形態では、ユーザがタッチパネル１０３に接触してから、ＬＣＤ１１１が発光されるまでに所定時間を要する。これにより、ユーザは、タッチパネル１０３上を指で接触移動させた後、ＬＣＤ１１１の発光が周囲に迷惑となるのを防止するために、第１の実施形態のように、ＬＣＤ１１１上に手をかざすなどの動作をすることができる。
【００４１】
＜動作＞
ここでは、図７に示すフローチャートを用いて、第２の実施形態に係る携帯電話機の指定領域発光処理の動作について説明する。なお、図７に示す処理は、ＬＣＤ１１１の全体が発光していない状態から、ユーザがタッチパネル１０３に接触するにより開始される。
制御部１０４は、内部に保持するフラグの値から、指定領域発光機能がオンであるか、オフであるかを判断する。指定領域発光機能がオフの場合（ステップＳ２０１でＮＯ）、制御部１０４は、タッチパネル１０３の接触位置に対応する通常の処理を行う（ステップＳ２０２）。
【００４２】
指定領域発光機能がオンの場合（ステップＳ２０１でＹＥＳ）、制御部１０４の領域特定部１２１は、タッチパネル１０３から接触ライン情報を取得し（ステップＳ２０３）、取得した接触ライン情報を基に、指定領域とそれ以外の領域との境界を決定する（ステップＳ２０４）。続いて、領域特定部１２１は、加速度センサ１０１から、境界に直交する向きの傾き情報を取得する（ステップＳ２０５）。
【００４３】
領域特定部１２１は、ステップＳ２０４で決定した境界を境に、傾き下方の領域を、指定領域として特定する（ステップＳ２０６）。その後、領域特定部１２１は、指定領域を示す情報を発光制御部１２２へ出力する。
発光制御部１２２は、領域特定部１２１から指定領域を示す情報を受け取ると、記憶部１０５から、発光強度情報１３１を取得する（ステップＳ２０７）。
【００４４】
その後、発光制御部１２２は、タイマー機能によるカウントを開始する（ステップＳ２０８）。タイマーによるカウント値Ｔが、所定時間Ｔｓ以下の場合（ステップＳ２０９でＮＯ）、発光制御部１２２は、カウントを継続する。タイマーによるカウント値Ｔが、所定時間Ｔｓを超過すると（ステップＳ２０９でＹＥＳ）、発光制御部１２２は、バックライトユニット１１２の各照明装置に対して、発光強度を出力する。このとき、指定領域に対応する照明装置に対しては、発光強度情報１３１が示す値を出力し、指定領域以外の領域に対応する照明装置に対しては、０を出力する。
【００４５】
バックライトユニット１１２の各照明装置は、発光制御部１２２から発光強度を受け取ると、受け取った発光強度で点灯することにより、ＬＣＤ１１１内の指定領域のみを発光させる（ステップＳ２１０）。
ユーザが、タッチパネル１０３上に手をかざしているなど、タッチパネル１０３への接触がある場合（ステップＳ２１１でＹＥＳ）、バックライトユニット１１２は、ステップＳ２１０の処理を継続する。タッチパネル１０３への接触がなければ（ステップＳ２１１でＮＯ）、携帯電話機は、指定領域発光処理を終了する。
【００４６】
なお、本実施形態では、ステップＳ２１１でタッチパネル１０３への接触があり、尚且つ、接触が継続している場合には、ステップＳ２１０の指定領域発光処理を継続するとしてもよいし、タッチパネル１０３への接触が継続しているかを判断せずに、タイマーによって時間を計測し、計測時間が所定時間内であれば、指定領域発光処理を継続し、計測時間が所定時間を経過すれば、指定領域発光処理を終了するとしてもよい。
【００４７】
以上説明したように、本実施形態によれば、ユーザは、携帯電話機を傾けながらタッチパネル１０３上に指で線を描くという簡便な操作により、部分的に発光させる領域を指定することができる。
そして、領域を指定した後に、ＬＣＤ１１１が発光するまでの間に、ユーザは、タッチパネル上に手をかざすことができるので、映画館などの暗い場所でも、ユーザは携帯電話機の画面内容を確認するときに、周囲に迷惑が掛かるのを防止することができる。
【００４８】
３．第３の実施形態
続いて、本発明の第３の実施形態に係る携帯電話機２について説明する。
＜構成＞
図８は、携帯電話機２の構成を示すブロック図である。同図に示すように、携帯電話機２は、加速度センサ１０１、表示部１０２、キーボード１０３ａ、制御部１０４、記憶部１０５、通信部１０６、アンテナ１０７、音声制御部１０８、スピーカ１０９及びマイク１１０を備える。さらに、表示部１０２は、ＬＣＤ１１１及びバックライトユニット１１２を備え、制御部１０４は、領域特定部１２１ａ及び発光制御部１２２を備える。ここで、携帯電話機１と同様の機能を有する構成要素については、図１と同一の符号を付している。
【００４９】
本実施形態に係る携帯電話機２は、携帯電話機１と同様に、ＬＣＤ１１１を部分的に発光させる指定領域発光機能を備えている。また、携帯電話機１は、タッチパネル１０３を備えているに対し、携帯電話機２は、タッチパネルを備えておらず、図１０に示すように、キーボード１０３ａを備えた折り畳み式の携帯電話機である。
以下では、第３の実施形態に係る携帯電話機２について、第１及び第２の実施形態と異なる部分を中心に説明する。
【００５０】
携帯電話機２は、折り畳み式の形態を有しているので、加速度センサ１０１は、表示部１０２の傾きを検出するために、キーボード１０３ａが具備された筐体側ではなく、表示部１０２が具備された筐体側に具備されているものとする。
キーボード１０３ａは、テンキー、オンフックキー、オフフックキー、方向キー、決定キー、メールキーなどの複数のキーを含む。ユーザは、キーボード１０３ａのキーを押下することにより、携帯電話機２に対して、指示を入力する。
【００５１】
キーボード１０３ａは、ユーザによるキーの押下を受け付けると、受け付けた内容を、制御部１０４へ出力する。本実施形態では、ユーザは、指定領域発光機能により発光させる領域を指定するために、テンキーを用いる。
記憶部１０５は、図９に示すプリセットテーブル１３２を記憶している。プリセットテーブル１３２は、キーとｘ座標及びｙ座標とを対応付けたテーブルである。ｘ座標及びｙ座標は、対応するキーが押下されたときに、指定領域とそれ以外の領域とを分割する境界となるライン情報を示しており、図３に示したように、バックライトユニット１１２が備える複数の照明装置それぞれが発光させることができるＬＣＤ１１１内の領域に対応している。
【００５２】
例えば、キー「６」が押下された場合、ｘ＝９０ドットの垂直ライン、又は、ｙ＝６０ドットの水平ラインが境界となる。ｘ座標のライン情報及びｙ座標のライン情報のいずれを境界として用いるかは、表示部１０２の傾きにより決定される。
制御部１０４の領域特定部１２１ａは、指定領域発光機能がオンのとき、ユーザにより押下されたキーを示す情報をキーボード１０３ａから受け付けると、加速度センサ１０１から取得するｘ軸方向の傾き情報とｙ軸方向の傾き情報とを比較して、傾き情報の大きさ（絶対値）が大きな方向を、傾きが大きな方向として決定する。
【００５３】
ここで、ユーザが、表示部１０２を見ながら携帯電話機２を把持している通常の使用状態に鑑み、表示部１０２の傾きは、ｘ軸方向及びｙ軸方向共に、水平からの角度が０度からプラス９０度までの範囲であると考えてよい。したがって、領域特定部１２１ａは、単に、ｘ軸方向の傾き情報の大きさとｙ軸方向の傾き情報の大きさとを比較することにより、傾きの大きな方向を決定する。
【００５４】
領域特定部１２１ａは、ｙ軸方向の傾きが大きいと判断した場合、プリセットテーブル１３２から、押下されたキーに対応するｙ座標の値をライン情報として読み出す。そして、ｙ軸方向の傾き情報を用いて、ライン情報を境界として、傾き下方の領域を、指定領域として特定する。
一方、領域特定部１２１ａは、ｘ軸方向の傾きが大きいと判断した場合、プリセットテーブル１３２から、押下されたキーに対応するｘ座標の値をライン情報として読み出す。そして、ｘ軸方向の傾き情報を用いて、ライン情報を境界として、傾き下方の領域を指定領域として特定する。
【００５５】
本実施形態では、図１０（ａ）に示すように、ユーザが、キーを押下することにより、押下されたキーに予め対応つけられているライン情報を境界として、図１０（ｂ）に示すように、ＬＣＤ１１１の傾き下方の領域のみを部分的に発光させることができる。
＜動作＞
ここでは、図１１に示すフローチャートを用いて、第３の実施形態に係る携帯電話機２の指定領域発光処理の動作について説明する。なお、図１１に示す処理は、ＬＣＤ１１１の全体が発光していない状態から、ユーザがキーを押下することにより開始される。
【００５６】
制御部１０４は、内部に保持するフラグの値から、指定領域発光機能がオンであるか、オフであるかを判断する。指定領域発光機能がオフの場合（ステップＳ３０１でＮＯ）、制御部１０４は、押下されたキーに対応する通常の処理を行う（ステップＳ３０２）。
指定領域発光機能がオンの場合（ステップＳ３０１でＹＥＳ）、領域特定部１２１ａは、加速度センサ１０１から、ｘ軸方向の傾き情報及びｙ軸方向の傾き情報を取得する（ステップＳ３０３）。
【００５７】
領域特定部１２１ａは、ｘ軸方向の傾き情報の大きさと、ｙ軸方向の傾き情報との大きさとを比較し、傾きの大きな方向を決定する。そして、領域特定部１２１ａは、傾きの大きな方向に対応し、且つ、押下されたキーに対応するライン情報を、プリセットテーブル１３２から取得する（ステップＳ３０４）。
領域特定部１２１ａは、ステップＳ３０４で取得したライン情報を境界として、傾き下方の領域を、指定領域として特定する（ステップＳ３０５）。その後、領域特定部１２１ａは、指定領域を示す情報を発光制御部１２２へ出力する。
【００５８】
発光制御部１２２は、領域特定部１２１ａから指定領域を示す情報を受け取ると、記憶部１０５から、発光強度情報１３１を取得する（ステップＳ３０６）。
その後、発光制御部１２２は、バックライトユニット１１２の各照明装置に対して、発光強度を出力する。このとき、指定領域に対応する照明装置に対しては、発光強度情報１３１が示す値を出力し、指定領域以外の領域に対応する照明装置に対しては、０を出力する。
【００５９】
バックライトユニット１１２の各照明装置は、発光制御部１２２から発光強度を受け取ると、受け取った発光強度で点灯することにより、ＬＣＤ１１１内の指定領域のみを発光させる（ステップＳ３０７）。
キーの押下が継続している場合（ステップＳ３０８でＹＥＳ）、バックライトユニット１１２は、ステップＳ３０７の処理を継続する。キーの押下が終了すると（ステップＳ３０８でＮＯ）、携帯電話機２は、指定領域発光処理を終了する。
【００６０】
なお、キーの押下の終了とは、例えば所定時間ユーザの入力が無いと判断された場合に、終了したと判断することとしてもよい。
以上説明したように、本実施形態によれば、タッチパネルを備えていない携帯電話機であっても、図９に示すようなプリセットテーブル１３２を保持しているので、ユーザは、携帯電話機を傾けながらキーを押下するという簡便な操作により、部分的に発光する領域を指定することができる。
【００６１】
４．その他の変形例
なお、本発明を上記の実施形態に基づき説明してきたが、本発明は上記の実施形態に限定されないのは勿論であり、例えば、上記の実施形態に変更を加え、以下のように実施する場合も本発明に含まれる。
（１）第１〜第３の実施形態では、ディスプレイの傾きを検出するために加速度センサ１０１を用いたが、本発明で用いる加速度センサは、上述した仕様に限定されないのは勿論である。また、本発明は、加速度センサでなく、ディスプレイが水平面から傾いていること、及び、傾き下方の方向を検出することができる他のセンサを用いて実現してもよい。
【００６２】
（２）第１〜第３の実施形態の指定領域発光機能は、ＬＣＤ１１１を発光させる機構として、ＬＣＤ１１１の背面に位置するバックライトユニット１１２を用いたが、バックライトに限定されず、ＬＣＤ１１１を部分的に発光させることができる構成であれば、サイドライト、フロントライト等、バックライト以外の周辺光で実現してもよい。
また、第１〜第３の実施形態のバックライトユニット１１２は、マトリックス状に配された４８個の照明装置を備え、照明装置毎に発光強度を設定できる構成であったが、バックライトユニット１１２が備える照明装置の数や位置は、これに限定されない。照明装置の数や位置に応じて、領域特定部１２１及び１２１ａが選択可能な境界の数及び位置は異なるので、領域特定部１２１及び１２１ａは、ユーザが入力した情報に基づいて、照明装置の数や位置に応じた選択可能な複数の境界の候補から、１の境界を選択するように構成すればよい。
【００６３】
また、指定領域発光機能を複数個の照明装置により実現するのではなく、ＬＣＤ１１１側にてドット（画素）毎の輝度値を制御することができるデジタルディスプレイを用いて実現してもよい。
（３）第１〜第３の実施形態では、指定領域とそれ以外の領域との境界は、ＬＣＤ１１１の水平ライン又は垂直ラインを用いたが、本発明はこれに限定されず、例えば、ＬＣＤ１１１を斜めに分割する直線を境界としてもよい。
【００６４】
さらには、先に述べたように、デジタルディスプレイを用いてドット毎に輝度値を制御する場合、第１及び第２の実施形態では、ユーザがタッチパネルに接触した位置に応じた曲線を境界としてもよい。この構成によれば、より、ユーザが指定する境界に近い位置から、傾き下方領域を発光させることができる。
何れの場合であっても、領域特定部１２１及び１２１ａは、ｘ軸方向及びｙ軸方向の傾き情報から、傾き下方の領域を特定することができる。
【００６５】
（４）第１〜第３の実施形態では、バックライトユニット１１２の輝度を変えることにより、指定領域とそれ以外の領域との明るさを変える構成であったが、これに限定されず、ＬＣＤ１１１において、指定領域とそれ以外の領域とで、画素毎の明るさ（明度及び彩度）を変えることにより、指定領域とそれ以外の領域との明るさを変えるように構成してもよい。更には、バックライトの輝度及び画素毎の明るさの両方を変えることにより、指定領域と他の領域との明るさを変えるように制御してもよい。
【００６６】
（５）第１〜第３の実施形態では、指定領域以外の領域のバックライトの発光強度（輝度）を０として、ＬＣＤ１１１を発光させない構成としたが、本発明はこれに限定されない。指定領域以外の発光強度を、指定領域の発光強度より低く設定し、発光させる場合も本発明に含まれる。この場合、記憶部１０５は、発光強度情報１３１として、指定領域の輝度値に加え、指定領域以外の領域の輝度値も予め記憶しておく構成としてもよい。
【００６７】
例えば、映画館などのように周囲の照明が非常に暗い場所では、指定領域以外の上方の領域の輝度を０にすることが望ましいが、上方の領域の輝度を必ずしも０とする必要がない場所では、上述したように、指定領域よりも低い輝度で発光させることにより、ユーザは、指定領域以外の領域に表示される画面も確認することができる。
（６）第１〜第３の実施形態では、表示部１０２はＬＣＤ１１１及びバックライトユニット１１２から構成されていたが、本発明の表示部１０２は、これに限定されない。例えば、表示部１０２として、有機ＥＬ（Ｅｌｅｃｔｒｏ−Ｌｕｍｉｎｅｓｃｅｎｃｅ）ディスプレイを用いてもよい。この場合は、照明装置による発光強度の制御ではなく、ドット（画素）毎に輝度値を制御して、ディスプレイを部分発光することができる。
【００６８】
（７）第１〜第３の実施形態において、制御部１０４は、指定領域を特定した後に、指定領域に表示する画面を生成する画面生成部を備える構成としてもよい。
携帯電話機１及び携帯電話機２の通常の使用状態では、ＬＣＤ１１１の全体が発光しており、図１２（ａ）に示すように、ＬＣＤ１１１の全体に画面１４１が表示される。ここで、指定領域発光機能により、ＬＣＤ１１１の一部分のみが発光すると、図４（ｂ）に示すように、ユーザは画面の下半分を見ることができるものの、画面の上半分については見ることができない。
【００６９】
例えば、受信メール画面などは、受信日時、送信者、メールの件名等、重要な情報が画面の上半分に記載されている場合が多い。指定領域発光機能により、このような重要な情報を確認することができないのであれば、ユーザにとって利便性が悪い。
そこで、制御部１０４は、指定領域発光機能がオンである場合には、図１２（ｂ）のように、特定された指定領域のみに画面が出力されるように、指定領域の大きさに合わせた画面を生成する画面生成部を備えるように構成してもよい。
【００７０】
図１２（ｂ）では、ＬＣＤ１１１の領域１４２には画面は出力されず、指定領域のみに画面１４３が出力される。これにより、指定領域発光機能によって画面が切れて、ユーザが必要な情報を確認できないという事態を防止することができる。
（８）第１〜第３の実施形態において、指定領域発光機能により傾き下方の領域を部分発光している状態のとき、ユーザが携帯電話機の傾き方向を変えた場合、制御部１０４は、以下のような制御をしてもよい。
【００７１】
例えば、図４（ｂ）のように、ユーザが携帯電話機１をｙ軸方向に傾けて把持しており、水平ラインを境界として、ＬＣＤ１１１が部分発光している状態から、ユーザが、図６（ａ）のように、携帯電話機１を横向きにして、ｘ軸方向に傾けた場合、領域特定部１２１及び１２１ａは、改めて垂直ラインの境界を決定し、その後、発光制御部１２２及びバックライトユニット１１２により、垂直ラインを境界とした傾き下方の領域を部分発光するように制御してもよい。
【００７２】
この場合、領域特定部１２１及び１２１ａは、傾きが変わる前の水平ラインの境界の位置に基づき、垂直ラインの境界の位置を決定してもよい。例えば、第３の実施形態のように、記憶部１０５が、水平ライン及び垂直ラインのライン情報を対応付けたテーブルを保持しており、領域特定部１２１及び１２１ａは、テーブルから、水平ラインに対応する垂直ラインのライン情報を取得してもよい。また、記憶部１０５がテーブルを保持していなくとも、領域特定部１２１及び１２１ａは、傾きが変わる前の指定領域のＬＣＤ１１１全体に対する割合に応じて、同一の割合となるように、垂直ラインの境界を算出してもよい。
【００７３】
また、指定領域発光機能により傾き下方の領域を部分発光している状態のとき、ユーザが携帯電話機の傾き方向を変えた場合、発光制御部１２２は、指定領域に対応する照明装置に、発光強度０を出力することにより、部分発光を解除するように制御してもよい。
この構成によると、周囲に迷惑が掛からないように傾き下方の指定領域を発光しているにもかかわらず、ユーザが携帯電話機の方向を変えたために、ディスプレイの光が周囲に漏れ、周囲の迷惑になるのを防止することができる。
【００７４】
（９）第１〜第３の実施形態において、指定領域発光機能がオンの場合、領域特定部１２１及び１２１ａは、加速度センサ１０１が検出する傾き情報のみから、指定領域を特定してもよい。
この場合、記憶部１０５は、予め、ｘ軸方向及びｙ軸方向の傾き角度（傾き情報）に対応したライン情報を示すテーブルを保持しておき、領域特定部１２１及び１２１ａは、加速度センサ１０１から取得した傾き情報に対応するライン情報をテーブルから取得し、取得したライン情報を境界として、傾き下方の領域のみを発光させるように構成してもよい。また、記憶部１０５が、傾き角度に対応した前記テーブルを保持していなくとも、単に、傾き下方の半分の領域のみを発光させるように構成してもよい。
【００７５】
この構成によると、ユーザは、タッチパネルにタッチすることなく、また、キー操作をすることなく、携帯電話機を傾けるだけで、ＬＣＤ１１１を部分的に発光させることができる。
（１０）第３の実施形態において、携帯電話機２は、キー押下が継続していなくても、所定の時間、指定領域発光処理を継続するように構成してもよい。この構成によると、ユーザは、キーを押下した後、キーから指を離して、第１の実施形態と同様に、ＬＣＤ１１１上に手をかざすなどの動作をすることができる。
【００７６】
（１１）第１〜第３実施形態において、発光制御部１２２は、指定領域以外の領域に対応する照明装置に対して、発光強度「０」を出力する構成を有するが、全ての照明装置の発光強度が、既に「０」であり、ＬＣＤ１１１の全体が消灯状態である場合には、指定領域に対応する照明装置に対して、発光強度「３００」を出力すれば、指定領域以外の領域に対応する照明装置に対して、発光強度「０」を出力することは必須ではない。
【００７７】
（１２）第１〜第３の実施形態において、携帯電話機１及び携帯電話機２は、フォトセンサ等、周囲の明るさを検出することができる受光部を備え、受光部が検出した周囲の明るさに基づいて、指定領域発光機能のオン及びオフを切り替えるように構成してもよい。
例えば、周囲が十分に明るくディスプレイの発光が周囲に迷惑とならない場所では、指定領域発光機能をオフにし、周囲が暗くディスプレイの発光が周囲に迷惑となる場所では、指定領域発光機能をオンにする。
【００７８】
この構成によれば、ユーザが指定領域発光機能のオン及びオフを切り替える必要がなくなるので、ユーザが指定領域発光機能をオンに切り替えるのを忘れた為に、暗い場所で、ユーザに意図に反してディスプレイの全体が発光し、周囲に迷惑が掛かるというような事態を防止することができる。
（１３）第２の実施形態では、図７のフローチャートに示したように、ステップＳ２１０で指定領域発光処理が行われた後に、ステップＳ２１１でタッチパネルへの接触があるか否かを判断しているが、本発明はこれに限定されない。
【００７９】
例えば、第２の実施形態において、ステップＳ２１０とステップＳ２１１の順序を逆にして、ステップＳ２０９で所定時間が経過したら、タッチパネルへの接触があるか否かを判断し、接触があると判断された場合に、指定領域発光処理を行うとしてもよい。
更に、第２の実施形態において、ステップＳ２０９の処理（所定時間が経過したか否かの判断）を行わず、タッチパネルへの接触があるか否かを判断し、接触があると判断された場合に、指定領域発光処理を行うとしてもよい。
【００８０】
（１４）第１及び第２の実施形態において、指定領域発光処理が行われているときに、発光していない領域（傾き上方の領域）が、ユーザにより接触された場合には、表示部の全体を発光するように構成してもよい。
（１５）第１及び第２の実施形態では、タッチパネルへの接触が継続している場合に、指定領域発光処理を継続し、第３の実施形態では、キーの押下が継続している場合に、指定領域発光処理を継続する構成を有していたが、本発明はこれに限定されない。
【００８１】
例えば、第１〜第３の実施形態において、指定領域発光機能の継続は、通常のタイマー処理により実現してもよい。具体的には、携帯電話機１及び携帯電話機２はタイマーを備え、タイマーにより時間を計測し、計測時間が所定時間を経過したら指定領域発光処理を終了し、表示部の全体を消灯するように構成してもよい。
この構成によると、ユーザがタッチパネルに手を接触し続けたり、キーを押下し続けることなく、指定領域発光機能を継続させることができるので、ユーザは、発光している指定領域に表示されている画面を見ながら、タッチパネルを操作したり、キー操作をすることができる。
【００８２】
（１６）第１〜第３の実施形態及び上記変形例をそれぞれ組み合わせた場合も本発明に含まれる。
【産業上の利用可能性】
【００８３】
本発明は、携帯電話機を製造する産業、携帯電話機を販売する産業、携帯電話機に係るサービスを提供する産業において、部分的に発光するＬＣＤの領域を、ユーザ自身が簡便な方法で指定することができる技術として利用することができる。
【図面の簡単な説明】
【００８４】
【図１】第１の実施形態に係る携帯電話機１の構成を示すブロック図である。
【図２】加速度センサ１０１の機能を説明するための図である。
【図３】バックライトユニット１１２が備える複数個の照明装置について説明するための図である。
【図４】第１の実施形態において、ＬＣＤ１１１を部分発光させるときのユーザ操作を説明するための図である。
【図５】第１の実施形態に係る指定領域発光処理の動作を示すフローチャートである。
【図６】第２の実施形態において、ＬＣＤ１１１を部分発光させるときのユーザ操作を説明するための図である。
【図７】第２の実施形態に係る指定領域発光処理の動作を示すフローチャートである。
【図８】第３の実施形態に係る携帯電話機２の構成を示すブロック図である。
【図９】記憶部１０５に格納されているプリセットテーブル１３２のデータ構成を示す図である。
【図１０】第３の実施形態において、ＬＣＤ１１１を部分発光させるときのユーザ操作を説明するための図である。
【図１１】第３の実施形態に係る指定領域発光処理の動作を示すフローチャートである。
【図１２】部分発光している指定領域のみに画面を表示する変形例を説明するための図である。
【符号の説明】
【００８５】
１        携帯電話機
２        携帯電話機
１０１    加速度センサ
１０２    表示部
１０３    タッチパネル
１０３ａ  キーボード
１０４    制御部
１０５    記憶部
１０６    通信部
１０７    アンテナ
１０８    音声制御部
１０９    スピーカ
１１０    マイク
１１１    ＬＣＤ
１１２    バックライトユニット
１２１    領域特定部
１２１ａ  領域特定部
１２２    発光制御部
【図１】
2010130159.tif 000003
【図２】
2010130159.tif 000004
【図３】
2010130159.tif 000005
【図４】
2010130159.tif 000006
【図５】
2010130159.tif 000007
【図６】
2010130159.tif 000008
【図７】
2010130159.tif 000009
【図８】
2010130159.tif 000010
【図９】
2010130159.tif 000011
【図１０】
2010130159.tif 000012
【図１１】
2010130159.tif 000013
【図１２】
2010130159.tif 000014